【手続補正書】
【提出日】平成14年9月5日(2002.9.5)
【手続補正１】
【補正対象書類名】明細書
【補正対象項目名】全文
【補正方法】変更
【補正の内容】
【書類名】明細書
【発明の名称】ランプ及びこれに用いる成形金属体
【特許請求の範囲】
【請求項１】ガラスを有するプレートにより気密に封止されたガラス管が設けられたランプ容器と、
このランプ容器内の充填ガスと、
このランプ容器内に埋め込まれ、充填ガスに対し開放連通しており、ランプ容器の外部では封止されている金属管と、
前記プレート内に埋め込まれた複数の電流導体であって、その各々には、ランプ容器内の第１端部と、ランプ容器外の第２端部とが設けられている当該電流導体と、
ランプ容器内に配置され、前記電流導体に接続された電気素子と
を有するランプにおいて、
前記プレート内にプレート状金属部材が埋め込まれ、
このプレート状金属部材に前記金属管が連結され、
このプレート状金属部材が前記電流導体に対する金属橋絡部を有し、
前記プレートは少なくとも１つの電流導体に対する孔を有し、
前記プレート状金属部材に対する電気接触を分断状態に保つ分断部を前記孔内で有する橋絡部が前記プレート状金属部材と前記少なくとも１つの電流導体との間で前記孔内に存在している
ことを特徴とするランプ。
【請求項２】請求項１に記載のランプにおいて、前記金属管が前記プレート状金属部材と一体化していることを特徴とするランプ。
【請求項３】請求項１又は２に記載のランプにおいて、前記分断部を有しない前記電流導体が前記プレート状金属部材と一体化していることを特徴とするランプ。
【請求項４】請求項３に記載のランプにおいて、前記プレートには、分断部を有する橋絡部が内部に存在している１つの孔が各電流導体に対し設けられていることを特徴とするランプ。
【請求項５】請求項４に記載のランプにおいて、前記孔は前記プレートの外側面に存在していることを特徴とするランプ。
【請求項６】請求項４に記載のランプにおいて、前記プレートには、分断部を有する橋絡部が内部に存在している他の１つの孔が各電流導体に対し設けられていることを特徴とするランプ。
【請求項７】請求項１又は２に記載のランプにおいて、前記プレート状部材には、逆とげフックを有する舌片が存在し、これら舌片は前記金属管に沿って前記ランプ容器の外部に延在していることを特徴とするランプ。
【請求項８】請求項１〜７のいずれか一項に記載のランプに用いる成形された金属体において、この金属体はプレート状金属部材を有し、このプレート状金属部材には、両端が開放した管と、電流導体とが一体化されており、これら電流導体は橋絡部を介して前記プレート状金属部材に連結されており、前記電流導体の各々は、前記プレート状金属部材に対し交差する方向で且つ前記管とは逆方向に延在する第１端部と、このプレート状金属部材の面内でこのプレート状部材から離れる方向に延在する第２端部とを有することを特徴とする金属体。
【請求項９】請求項８に記載の金属体において、前記プレート状金属部材に、逆とげフックを有する舌片が存在し、これら舌片が前記管に沿って延在していることを特徴とする金属体。
【発明の詳細な説明】
【０００１】
本発明は、ガラスを有するプレートにより気密に封止されたガラス管が設けられたランプ容器と、
このランプ容器内の充填ガスと、
このランプ容器内に埋め込まれ、充填ガスに対し開放連通しており、ランプ容器の外部では封止されている金属管と、
前記プレート内に埋め込まれた複数の電流導体であって、その各々には、ランプ容器内の第１端部と、ランプ容器外の第２端部とが設けられている当該電流導体と、
ランプ容器内に配置され、前記電流導体に接続された電気素子と
を有するランプに関するものである。
本発明は更に、このランプに用いる成形した金属体にも関するものである。
【０００２】
このようなランプは国際公開パンフレットＷＯ９８／５０９４２に記載されており、既知である。
この既知のランプは白熱ランプであり、その白熱体はプレートに対し予め決定した正確な位置を占め、しかもコンパクトな構成をしている。このランプにおける、プレートの外側面から管球の上部までの寸法は２ｃｍよりも短くしうる。このランプは自動車の後部の光源、例えば、ブレーキランプ、テールランプ、後退灯、後方フォグランプ、方向指示灯等として用いるのに適している。
【０００３】
このようなランプは国際公開パンフレットＷＯ９８／５０９４３に記載されており、既知であり、これには口金が設けられている。この口金は、これを前記プレートの周りにかちっとはめることによりランプ容器を確実に保持している。管球が口金に対して回転するのを防止するために、プレートを口金の非円形形状に対応する非円形形状にすることができる。しかし、比較的大きな力が加わると、ランプ容器が口金内で揺れるおそれがある。
【０００４】
既知のランプは、例えばＫｒ及びＸｅの双方又はいずれか一方を含む比較的高圧の充填ガスを有し、その結果、高い発光効率、例えば、１８ルーメン／Ｗで、有効寿命が長くなる、例えば、２０００時間となるという利点が得られる。
【０００５】
しかし、この既知のランプには、比較的多数の金属部品、すなわち、電流導体としての金属ワイヤ及び排気管としての金属管が必要であり、これらの部品をプレート内で予め決定した位置に設ける必要があるという欠点がある。これによりランプの製造を複雑とする。
【０００６】
本発明の目的は、頭書に記載した種類のランプであって、容易に製造できる簡単構造のランプを提供せんとするにある。
【０００７】
本発明によれば、
前記プレート内にプレート状金属部材が埋め込まれ、
このプレート状金属部材に前記金属管が連結され、
このプレート状金属部材が前記電流導体に対する金属橋絡部を有し、
前記プレートは少なくとも１つの電流導体に対する孔を有し、
前記プレート状金属部材に対する電気接触を分断状態に保つ分断部を前記孔内で有する橋絡部が前記プレート状金属部材と前記少なくとも１つの電流導体との間で前記孔内に存在している
ようにすることにより、本発明の目的を達成する。
【０００８】
ランプの製造に当っては、プレート状金属部材と、金属管と、電流導体とが相俟って１つの金属体を構成し、プレートを得るのに１つのみの金属部品をガラスと連結すれば足りるようにする。これとは相違して、２つの電流導体を有する既知のランプでは３つの金属部品が必要となる。このように金属部品を１つとすることにより、ランプ製造の物流管理が簡単となり、ランプの構成を簡単にする。１つの金属体を使用する結果として、その一部分、特に電流導体がしかし金属管も互いに予め決定した位置、すなわち、これらがその製造に応じた前記の１つの金属体内に存在する位置を有する。金属体が埋め込まれたプレートを製造した後に、孔内のプレート状金属部材に対する橋絡部に、少なくとも１つの電流導体に対して前記分断部を設け、電流導体間の短絡を排除する。このことは、例えば、孔内の橋絡部に向けてこの橋絡部を局部的に溶融させるレーザにより容易に達成しうる。更に、橋絡部は電流を流すことにより溶融させることができる。このようにすることにより、丸く固まった溶融部が橋絡部の残部として孔内に見えるようになる。本発明によるランプは簡単な構成で、製造するのも容易である。
【０００９】
金属管はプレート状金属部材と一体化するのが有利である。この場合、金属管は深絞りによりプレート状金属部材から形成することができる。この場合、例えば、溶接のような固着処理を回避しうる。上述したのと同じ理由で、ランプ製造処理に当って電流導体もプレート状金属部材と一体化しておくのが有利である。この場合、ランプの製造中、これら電流導体がプレート状金属部材及び場合に応じ金属管と相俟って成形された１つの金属体を構成する。この成形された金属体は、打ち抜き及び屈曲処理や、場合に応じ深絞りにより金属板から容易に得ることができる。屈曲処理中は、電流導体の少なくとも第１端部をプレート状金属部材に対し交差する方向で移動させる。本例では、電流導体はほぼ方形の断面を有し、これはカッテイン又は打ち抜きにより金属板から得られる。この場合、電流導体は金属部材と同じ材料から成ること明らかであり、一般に、屈曲処理又は深絞りにより形成されていない個所において金属部材と同じ厚さを有する。
【００１０】
プレートには各電流導体に対し孔をあけ、これらの孔内にそれぞれの電流導体に対する橋絡部が存在し、これらの橋絡部が分断部を有するようにするのが有利である。このようにすることにより、金属管は製造処理中に突出せず、ランプの周囲の金属と短絡するおそれが回避される。
【００１１】
孔は、ランプの内側からプレート内の橋絡部上まで延在させることができ、従って充填ガスと連通しているが、孔は金属プレートの外側面に存在させるのが好ましい。この場合、これらの孔はランプの周囲と連通することができる。この場合、ランプ容器を封止した後に橋絡部に分断部を形成することができる。これにより、ランプの内部が、分断部を形成する際に生じる気体により汚染されるのが回避される。或いはまた、孔を管球よりも横方向に位置させる場合には、これらの孔を、プレートを貫通する孔とすることもでき、貫通孔にかかわらず、ランプ容器の気密性が保たれる。
【００１２】
プレートには各電流導体に対する第２の孔をあけ、これらの第２の孔にそれぞれ分断部を存在させるのが有利である。この場合、成形する金属体の成形性能が高くなり、しかも例えば、ランプ容器のプレートを製造する際の取り扱い時に変形するのを回避する追加の安全性を確保する。
【００１３】
ランプ容器のプレートは、成形した金属体を溶融ガラス内に埋め込み、且つこの溶融ガラスを型によりその最終形状に押圧することにより製造しうる。或いはまた、成形した金属体と、後に焼結されるガラス粉末とを入れた型内でプレートを形成することができる。
【００１４】
本発明によるランプの構造は、ランプが１つよりも多い、例えば２つの電気素子を有する場合に特に適している。追加の第２の電気素子にとって必要で、この第２の電気素子を第１の電気素子と独立して動作させる追加の電流導体は、前述したのと同様に容易に形成しうる。しかし追加の電流導体は、１つのみの電気素子を有するランプ内に存在させることもできる。この場合、１つの電気素子を有するランプと２つの電気素子を有するランプとを含むランプ群で同じ成形金属体を用いることができるという利点が得られる。
【００１５】
電気素子は白熱体とすることができ、この場合、充填ガスはハロゲン又はハロゲン化合物を有するようにしうる。或いはまた、電気素子は一対の電極にでき、この場合、充填ガスはイオン化可能なものにしうる。
【００１６】
電流導体の第２端部は種々の方向、例えば、プレートと交差する方向又はプレートの平面内でプレートに対しほぼ平行な方向に延在させることができる。これらの第２端部は、ホルダ又はプリント回路に対する接点ピン又は接点細条として作用するとともにランプを支持するように容易に構成しうる。これら第２端部には、例えばその形成中直ちに逆とげフックを形成することができ、この場合、これら第２端部はこれらを口金における溝内に挿入することにより、この口金に対する取り外し不可能な結合を達成する作用をしうる。本発明によるランプにおいては、既知のランプと相違して、口金又はソケットに対する回転不可能な結合を達成するために、一般に、プレート及び口金の形状を丸くないようにする必要はない。その理由は、電流導体を、この結合に対し充分剛性を有するように容易に構成しうる為である。
【００１７】
本発明の特別な例では、逆とげフックを有する舌片をプレート状金属部材に存在させ、これら舌片を金属管に沿ってランプ容器の外部まで延在させる。本例では、舌片はランプを例えば口金に結合するのに適しており、この機械的な結合は電気的な接触とは分離されている。
【００１８】
ランプ容器は、無鉛ガラス、例えば、６０〜７２重量％のＳｉＯ２ と、１〜５重量％のＡｌ２ Ｏ３ と、０．５〜１．５重量％のＬｉＯ２ と、５〜９重量％のＮａ２ Ｏと、３〜７重量％のＫ２ Ｏと、１〜２重量％のＭｇＯと、１〜３重量％のＣａＯと、１〜５重量％のＳｒＯと、７〜１１重量％のＢａＯと、０．５重量％よりも少ないその他とを有するものをもって構成することができる。ランプ容器の管球は例えば、球状にするか、又は例えば筒状のネック部を有する球状とすることができる。管球は、拡散反射被膜、例えば、ＴｉＯ２ 又はＺｒＯ２ より成る白色被膜をプレートに隣接して有するようにしうる。或いはまた、管球はその位置に、例えば、アルミニウムより成る金属被膜又は二色性ミラーを有することができる。更に、水蒸気ゲッタ、例えばＺｒＡｌ又はＺｒＰｄを、管球内で例えば電流導体上に存在させることができる。管球は、例えばエナメル又は凝固するガラス溶融体によりプレートに連結させることができる。
【００１９】
プレート状金属部材、電流導体及び金属管は、例えばニッケル‐鉄‐クロム合金又はモリブデンから形成しうる。
【００２０】
充填ガスは、例えばＫｒ又はＸｅ又はこれらの混合物又はＡｒを、例えば１バール（１０５ Ｐａ）よりも高い圧力、例えば２〜１５バール（２〜１５・１０５ Ｐａ）、特に３〜５バール（３〜５・１０５ Ｐａ）とするのが好ましい２〜８バール（２〜８・１０５ Ｐａ）で有するようにしうる。
【００２１】
本発明によるランプは、成形された金属体であって、この金属体がプレート状金属部材を有し、このプレート状金属部材には、両端が開放した管と、電流導体とが一体化されており、これら電流導体は橋絡部を介して前記プレート状金属部材に連結されており、前記電流導体の各々は、前記プレート状金属部材に対し交差する方向で且つ前記管とは逆方向に延在する第１端部と、このプレート状金属部材の面内でこのプレート状部材から離れる方向に延在する第２端部とを有することを特徴とする当該金属体を用いることにより容易に製造しうる。
【００２２】
本発明の特別な例では、前記プレート状金属部材に、逆とげフックを有する舌片が存在し、これら舌片が前記管に沿って延在しているようにする。
【００２３】
本発明によるランプ及びランプ用成形金属体の実施例を図面に示す。
本発明によるランプの側面図を示す図１において、このランプは、エナメル６により、ガラスを有するプレート３に気密に封止されたガラス管球２が設けられたランプ容器１を具えている。本例のプレート３は管球２のガラスと同じ組成の焼結ガラスより成る。ランプ容器１内には充填ガスが存在し、この充填ガスは図示のランプでは５バール（５・１０５ Ｐａ）のクリプトンより成っている。プレート３内には金属管１１が埋め込まれ、この金属管は充填ガスに対して開放連通しており且つランプ容器の外部では、本例では金属管１１自体の凝固小滴により、封止されている。或いはまた、金属管１１を封止するのにタングステンの小滴を加えることができる。プレート３内には電流導体１２が埋め込まれており、これら電流導体の各々には、ランプ容器１の内部の第１端部１３とランプ容器１の外部の第２端部１４とが設けられている。ランプ容器１内には電気素子８、本例では白熱体が配置され、この白熱体が、図１ではモリブデンワイヤ７により電流導体１２に接続されている。管球２は、６７．５９重量％のＳｉＯ２ と、３．５６重量％のＡｌ２ Ｏ３ と、１．２７重量％のＬｉＯ２ と、７．３８重量％のＮａ２ Ｏと、４．８８重量％のＫ２ Ｏと、１．２４重量％のＭｇＯと、１．８９重量％のＣａＯと、３．０４重量％のＳｒＯと、８．８１重量％のＢａＯと、０．１２重量％のＣｅＯ２ と、０．１７重量％のＳＯ３ と、０．０５重量％のその他との組成を有するガラスから成っている。
【００２４】
図４及び５の例ではニッケル‐鉄‐クロムの合金より成るプレート状金属部材１０がプレート３内に埋め込まれている（図２及び３参照）。金属管１１がこの金属部材１０に連結されている。プレート状金属部材１０は、電流導体１２に対する金属橋絡部１５を有している。プレート３（図３参照）は、少なくとも１つの電流導体１２に対する１つ又は２つの孔４を有し、この孔内で金属部材１０と前記電流導体１２との間に橋絡部１５が存在し、この橋絡部１５に、プレート状金属部材１０に対する電気接触を遮断させる分断部１６を孔４内で形成する（図３参照）。
【００２５】
図示の実施例での金属管１１はプレート状金属部材１０と一体化している（図４及び５参照）。
【００２６】
図３の分断部１６を有しない電流導体１２がプレート状金属部材１０と一体化されている（図４及び５参照）。
【００２７】
プレート３は各電流導体１２に対する孔４を有し、この孔内に橋絡部１５が存在する。１つの電流導体を除く他のすべての電流導体１２に対しては分断部１６は図３では所望に応じまだ形成しない。分断部は、ランプ容器１を封止した後に設けるのが好ましい。このことは、孔４がプレート３の外側面５に存在する為に可能となる。
【００２８】
プレート状金属部材１０には舌片１７が存在し（図３参照）、これら舌片は金属管１１に沿ってランプ容器１の外部まで延在するとともに逆とげフック１８を有する。図３〜５のプレート状金属部材１０は、これがこれら舌片１７を有するとともに、図１の２つのみの電流導体と相違して３つの電流導体に対する橋絡部を有するという点でのみ図１のプレート状金属部材と異なっている。
【００２９】
図４及び５に示す本発明によるランプに用いる成形した金属体２０は、両端が開放した金属管１１と電流導体１２との双方が一体化されているプレート状金属部材１０を有する。電流導体１２は橋絡部１５を介してプレート状金属部材１０に連結されている。電流導体１２の各々は、プレート状金属部材１０に対し交差する方向で金属管１１とは逆方向に延在する第１端部１３と、このプレート状金属部材１０の面内でこれから離れる方向に延在する第２端部１４とを有する。これらの図でも、成形した金属体が、金属管１１に沿って延在するとともに逆とげフック１８が設けられた舌片１７を有する。図４から明らかなように、橋絡部１５は電流導体１２とプレート状金属部材１０との間の唯一の相互連結部である。生きている電流導体に連結されている橋絡部１５が分断されると、プレート状金属部材１０には動作中の引っ張り力が無くなり、金属管１１がランプ容器１から外部に突出するようになる（図１参照）。
【００３０】
特許請求の範囲に記載した以外の本発明によるランプの特徴の組合わせも可能なものである。
【図面の簡単な説明】
【図１】ランプを示す側面図である。
【図２】図１のランプのプレートの変形例の内面を示す斜視図である。
【図３】図２のプレートの外面を示す斜視図である。
【図４】図３及び４のプレートの成形した金属体の内面を示す斜視図である。
【図５】図４の成形した金属体の外面を示す斜視図である。


【手続補正２】
【補正対象書類名】図面
【補正対象項目名】図１
【補正方法】変更
【補正の内容】
【図１】
2004514254.tif 000001
【手続補正３】
【補正対象書類名】図面
【補正対象項目名】図３
【補正方法】変更
【補正の内容】
【図３】
2004514254.tif 000002